(57)【要約】【課題】配送品に残った貼付票の個人情報記入部分を分離することによって個人情報を保護するようにした配送伝票を提供する。【課題の解決手段】配送品に接着する伝票基材４の表面側に、それぞれに配送用個人情報を記入する個人情報記入部を設けた配送票及び貼付票８を並設状態で接着してなり、前記配送票と貼付票８とは切り部で区画し、前記配送票は、前記伝票基材４に対して剥離可能に接着する一方、前記貼付票８は、記入部を設けた記入片１０と、前記個人情報を記入しない非記入片１１，１２を、切り部１３，１４で区画形成するとともに、前記記入片１０は伝票基材４に対して剥離可能に接着する一方、前記非記入片１１，１２は伝票基材４に対して剥離困難に強接着する。【選択図】図２
2010214901.tif 000002
【特許請求の範囲】
【請求項１】
裏面に粘着剤層を設けるとともにこの粘着剤層を剥離紙で被覆した伝票基材と、この伝票基材の表面側に、それぞれに配送用個人情報を記入する個人情報記入部を設けた配送票及び貼付票を並設状態で接着してなる配送伝票であって、前記配送票は、前記伝票基材に対して剥離可能に接着する一方、前記貼付票は、前記個人情報記入部を設けた記入片と、前記個人情報を記入しない非記入片を、切り部で区画形成するとともに、前記記入片は伝票基材に対して剥離可能に接着する一方、前記非記入片は伝票基材に対して剥離困難に強接着した配送伝票。
【請求項２】
貼付票における切り部を切り用ミシン目で構成し、この切り用ミシン目の配送票側端にはカットが対応位置し、配送票とは反対側端にはタイが対応位置することを特徴とする請求項１に記載の配送伝票。
【発明の詳細な説明】
【技術分野】
【０００１】
本発明は、配送業務において使用する配送伝票に関し、特に、配送品に接着する伝票基材上に配達票兼受領票などの配送票と貼付票を並設してなる個人情報保護用配送伝票に関するものである。
【背景技術】
【０００２】
従来の配送票、例えば配達票兼受領票と貼付票を並設した配送伝票は、配送品に接着して配送業務が行われ、配送過程において業者が配達票兼受領票を剥離分離し、配送作業終了後に管理用などとして持ち帰り、一方の貼付票は配送品の包装体に剥離困難に接着された状態で送り届けられるというもの（特許文献１参照）が一般的である。この一般的な配送伝票は、配送品の包装体に貼付票が残るので、包装体を廃棄する際に宛名や住所、電話番号などの個人情報が貼付票を介して外部に流出する虞があるという問題があった。そこでこの問題に対処すべく、受取人によって貼付票に記載された個人情報などをコインや爪で擦って削除し、判読不能とする技術が提案されている（特許文献２参照）。さらに、表面に個人情報である住所および宛名を印刷して封書や葉書に貼付する、個人情報を保護するための保護シートも提案されている（特許文献３）。この保護シートは、個人情報を印刷する印刷用紙と、封書、葉書等に貼付するための粘着剤層と、この粘着剤層を被覆する剥離シートとを積層してなり、前記印刷用紙の個人情報記載領域の一部に対応してループ状に切り用のマイクロミシン目を設けるとともに、前記粘着剤層の前記マイクロミシン目に囲まれた領域に粘着性無効処理を施した、というものである。この保護シートは、個人情報を印字後、前記剥離紙を剥離し封筒や葉書に貼付して投函し、受取人は、前記封筒や葉書を廃棄する際に、前記印刷用紙を引っ張ることにより、前記領域を剥離分離し、前記個人情報を判読しにくくするというものである。
【先行技術文献】
【特許文献】
【０００３】
【特許文献１】特開平７−７６１９１号公報
【特許文献２】特開２００７−３０１９３８号公報
【特許文献３】特開２００４−１１７７８７号公報
【発明の概要】
【発明が解決しようとする課題】
【０００４】
上記特許文献２の技術は、配達中に他の配送品などと擦れ合うことによって、貼付票に表示されている宛名やバーコードが消えてしまう不都合が起こり易いという問題がある。また、上記特許文献３の技術は、プリンタ印字面にマイクロミシン目による凹凸が形成されるので、印字動作に支障が出て印字した宛名やバーコードが読めない場合があるという問題がある。
【０００５】
本発明は、このような問題を解消することを課題とし、該課題を解決した個人情報保護に適した配送伝票を提供することを目的とする。
【課題を解決するための手段】
【０００６】
この目的を達成するために、本発明の請求項１に係る配送伝票は、裏面に粘着剤層を設けるとともにこの粘着剤層を剥離紙で被覆した伝票基材と、この伝票基材の表面側に、それぞれに配送用個人情報を記入する個人情報記入部を設けた配送票及び貼付票を並設状態で接着してなり、前記配送票は、前記伝票基材に対して剥離可能に接着する一方、前記貼付票には、前記個人情報記入部を設けた記入片と、前記個人情報を記入しない非記入片を、切り部で区画形成するとともに、前記記入片は伝票基材に対して剥離可能に接着する一方、前記非記入片は伝票基材に対して剥離困難に強接着したというものである。
【０００７】
また、請求項２に係る配送伝票は、請求項１に係る発明の構成を備え、貼付票の記入片と非記入片を区画する切り部を切り用ミシン目で構成し、この切り用ミシン目の配送票側端にはカットが対応位置し、配送票とは反対側端にはタイが対応位置することを特徴とするものである。
【発明の効果】
【０００８】
本発明の請求項１に係る配送伝票によれば、配送品の受取人は、貼付票における個人情報が記入された記入片を剥離し、この記入片を破断するなどして、個人情報を人目に触れないように破棄することが簡単であるから、個人情報を容易に保護することができ、また、記入片の個人情報は、荷物どうしが擦れ合っても消滅することがないから、特許文献２の技術のように輸送中や配送業務中に宛名やバーコードが消えて読み取れなくなることがなく、さらに、記入片の記入部は凹凸が生じる加工を施す必要がないので、特許文献３の技術のように情報の記入作業に悪影響を与えることがなく、またさらに、その製造は、従来の一般的な配送伝票の製造工程に、記入片裏面の剥離可能な接着加工工程と切り部の加工工程とを追加するだけでよいので、前記一般的なものとほぼ同じ製造費で済むという効果を奏する。
【０００９】
また、請求項２に係る配送伝票は、請求項１に係る発明の奏し得る効果に加えて、貼付票の記入片を剥離する際には、配送票側の一端縁に切り用ミシン目のカットが対応位置するので、記入片の剥離開始作業を行い易いとともに、配送票とは反対側端に切り用ミシン目のタイが対応位置するので、この部分から不用意に剥離しにくいという効果を奏する。
【図面の簡単な説明】
【００１０】
【図１】図１は配送伝票の正面図。
【図２】図２は図１のＡ−Ａ線断面図。
【図３】図３は図１のＢ−Ｂ線断面図。
【図４】図４は配達票を剥離した状態の正面図。
【図５】図５は図４のＣ−Ｃ線断面図。
【図６】図６は配達票と記入片を剥離した状態の正面図。
【発明を実施するための形態】
【００１１】
以下、本発明の好適な実施形態について添付図面の図１〜図６に基づき説明する。
【００１２】
図１〜図３に示すように、配送伝票１は、裏面に粘着剤層２を設けるとともにこの粘着剤層２を剥離紙３で被覆した伝票基材４を備え、この伝票基材４の表面側に、配送用個人情報を記入する個人情報記入部たる記入欄５を設けた配送票たる受領票を兼ねる配達票６と、同じく個人情報記入部たる記入欄７を設けた貼付票８を切り部たるスリット９で区画し、並設状態で接着してなる。前記配達票６は、前記伝票基材４に対して剥離可能に接着する一方、前記貼付票８は、前記記入欄７を設けた記入片１０と、この記入片１０の両外側縁部に沿ってそれぞれ個人情報の記入欄を設けない非記入片１１，１２を、切り部たる切り用ミシン目１３，１４で区画形成してなる。
【００１３】
前記伝票基材４の表面側には、剥離困難な感圧性接着剤層１５を全面的に塗布し、前記配達票６の裏面には、前記感圧性接着剤層１５から剥離可能とするためのベタ印刷による剥離処理層１６を設ける。また、前記貼付票８の記入片１０の裏面には、前記感圧性接着剤層１５の接着力を適当に弱化して調整するための網点印刷による接着力調整層１７を設けて、記入片１０を所定の強さ以上の引っ張り力ではじめて伝票基材４から剥離するようになす。なお、非記入片１１，１２は伝票基材４に対して剥離困難に強接着し、前記スリット９と前記切り用ミシン目１３，１４は、それぞれ前記伝票基材４表面に達している。
【００１４】
図１に示すように、配達票６の表面側には、前記配送用個人情報の記入欄５のほかに、受領印捺印欄１８、配達日指定欄１９、品名欄２０などの記入欄を設ける。また、貼付票８の表面側には、前記記入欄７のほかに、品名欄２１、取扱店欄２２、配達日指定欄２３などの記入欄を設ける。また、配達票６の表面側には、剥離開始部位を示すための矢印及び「ここからはがす」という第１案内文２４を設けてある。
【００１５】
図４に示すように、配達票６を剥離すると露出する伝票基材４の表面側には、記入片１０の剥離開始部位を示すための矢印及び「個人情報保護のため、宛名部分を剥がすことができます。包装容器を捨てる時には、お剥がしください。」という第２案内文２５が設けてある。なお、前記記入欄５，７と、受領印捺印欄１８、配達日指定欄１９、品名欄２０，２１、取扱店欄２２、配達日指定欄２３などの記入欄と、剥離開始部位を示す第１案内文２４及び第２案内文２５とは、それぞれ予め印刷されている。
【００１６】
図１及び図４に示すように、切り用ミシン目１３，１４それぞれは、カットとタイが交互に連続してなり、配送票６側端に前記カットを対応位置させるとともに、配達票６側とは反対側端には前記タイを対応位置させてある。切り用ミシン目１３，１４をこのように形成したことにより、配達票６を剥離した後、この剥離部分側から記入片１０の裏面と伝票基材４間に指先などを差し込んでミシン目１３，１４を容易に破断できて剥離開始作業がし易いとともに、前記反対側縁部には、前記タイが対応位置するので、カットまで直接外力が及ばす、この縁部からミシン目１３，１４が破断することによる不用意な剥離が起こりにくい。
【００１７】
本実施形態は以上のように構成したので、コンピュータに連動するノンインパクトプリンタによって、受領印捺印欄１８を除く配達票６及び貼付票８の各記入欄１９，２０，２１，２２，２３と記入欄５，７とに、コンピュータに予め記録されているデータに基づく所定の事項を印字して配送伝票１が作成される。この配送伝票１は、剥離紙３を剥離して配送品の包装体２６に粘着剤層２により貼着し、配送過程で配達票６を剥離して（図４及び図５参照）配送業務を行い、配送品の受取人から受領印捺印欄１８への捺印を受ける。配送品の受取人は、その包装体２６を廃棄する際に、第２案内文２５の指示にしたがって、貼付票８における記入片１０の隅の部分を指先などで剥がし、この部分を摘まんで所定以上の引っ張り力で該記入片１０を引くと、ミシン目１３，１４が破断して剥離する（図４及び図６参照）。この剥離した記入片１０には外部に流出させたくない個人情報が表示されているが、シュレッダにかけたり細かく裂いて破棄することにより、個人情報が人目にふれることはない。
【００１８】
なお、本発明は、上記実施形態になんら限定されるものではなく、例えば、貼付票８の切り部たる切り用ミシン目１３，１４は記入片１０と非記入片１１，１２との境に設ければよいので、非記入片１１，１２の構成に応じて、一方のみであったり、４隅に設けてもよい。また、配達票６と貼付票８を区画する切り部たるスリット９は、切り用ミシン目に変更してもよい。さらに、配達票６と貼付票８に個人情報などの情報を含むバーコードを設けてもよい。またさらに、記入片１０の伝票基材４に対する接着力の調整は、印刷によるほか、接着剤の種類を変えたり、塗布厚を変えることで行ってもよい。さらにまた、配達票８の裏面側にも接着力調整層１７を設けてもよい。また、伝票基材４から剥離可能な配送票は受領票を兼ねる配達票に限るものではない。
【符号の説明】
【００１９】
１      配送伝票
２      粘着剤層
３      剥離紙
４      伝票基材
５      記入欄
６      配達票
７      記入欄
８      貼付票
９      スリット
１０      記入片
１１，１２      非記入片
１３，１４      切り用ミシン目
１５      接着剤
１６      剥離処理層
１７      接着力調整層
１８      受領印捺印欄
１９      配達日指定欄
２０，２１      品名欄
２２      取扱店欄
２３      配達日指定欄
２４      第１案内文
２５      第２案内文
２６      包装体
【図１】
2010214901.tif 000003
【図２】
2010214901.tif 000004
【図３】
2010214901.tif 000005
【図４】
2010214901.tif 000006
【図５】
2010214901.tif 000007
【図６】
2010214901.tif 000008